(57)【要約】      （修正有）【課題】ジェットコースター等の遊戯乗物に設けられた遊戯乗物用安全ベルトの接続具について、誤作動にて前記接続が解除されることを防止するものを提供する。【解決手段】接続具３は、遊戯乗物に設けられたベルト１，２を接続して乗客の身体を拘束するものであり、誤作動防止部７を備える。接続具３は、差込部３２を有するホルダ３１と、係止部と、係止部を作動させる作動部とを備え、係止部は、ホルダ３１内へ差し込まれたベルト２を、差込部３２から抜け出ないよう係止し、作動部の操作により係止部を作動させてベルト２の係止を解除可能とし、誤作動防止部７は、作動部をホルダ３１の外部から覆い隠すカバー部７１と、ホルダ３１の外部から作動部へ通じる工具挿入部７２とを備え、乗客の手が作動部へ触れることを抑制でき、作動部を操作する操作部材を工具挿入部７２から挿入させて作動部を動作できる。【選択図】図１
0003204602.tif 000002
【実用新案登録請求の範囲】
【請求項１】
ジェットコースター等の遊戯乗物に設けられた遊戯乗物用安全ベルトの接続具であって、前記遊戯乗物に設けられたベルトを接続することにて乗客の身体を拘束するものであり、
誤作動にて前記接続が解除されることを防止する誤作動防止部を備えた遊戯乗物用安全ベルトの接続具。
【請求項２】
前記ベルトの一端を挿入することができる差込部を有するホルダと、前記ホルダに設けられた係止部と、前記ホルダに設けられて前記係止部を作動させる作動部とを備え、
前記係止部は、前記ホルダ内へ差し込まれた前記ベルトを、前記差込部から抜け出ないよう係止するものであり、
前記接続具は、前記作動部の操作により、前記係止部を作動させてベルトの前記係止を解除し前記ベルトを前記差込部から抜き出すことを可能とし、
前記ホルダは、前記作動部を収容する収容部を備え、前記ホルダ外部からの操作を受けて前記作動部が前記作動の動作を行うことができる収容空間を、前記収容部が備えたものであり、
前記誤作動防止部は、前記作動部を前記ホルダの外部から覆い隠すカバー部と、前記ホルダの外部から前記収容部内に通じる１つ又は複数の工具挿入部とを備え、
前記カバー部は、前記作動部を覆い隠すことにて乗客の手が前記作動部へ触れることを抑制するものであり、
前記作動部を操作する工具等の操作部材を前記工具挿入部から挿入させて前記作動部を動作させることができる請求項１記載の遊戯乗物用安全ベルトの接続具。
【請求項３】
前記収容部は、前記ホルダの表面へ開口する開口部を備え、
前記作動部は、前記収容部内に収まり前記開口部より突出しないものであり、
前記カバー部は、ネジ等の取付部材にて、ホルダの前記表面へ取り付けられることにて前記開口部を覆う板状体であり、
前記工具挿入部は、前記カバー部又は前記ホルダに設けられ、
前記工具挿入部から前記操作部材を挿入して前記作動部に前記作動の動作を行わせることができ、前記工具挿入部は、指の挿入による前記作動部の前記作動の動作を許容しない大きさを備えた請求項２記載の遊戯乗物用安全ベルトの接続具。
【請求項４】
前記ベルトは、前記差込部へ差し込むことができる差込金具を先端に備え、前記差込金具は、前記係止部へ係止することができる被係止部を備えたものであり、
前記カバー部は、厚さを１ｍｍ以上とするものであり、
前記ホルダには、１つ又は複数のバネ等の付勢部材が設けられ、
前記係止部は、差し込まれた前記差込金具の被係止部を係止し、前記付勢部材の付勢を受けて前記係止状態を維持するものであり、
前記作動部は係止部を付勢する前記付勢部材にて直接又は間接的に、或いは係止部を付勢する前記付勢部材とは別の付勢部材にて、突出する方向に付勢される押しボタンであり、
前記工具挿入部は、前記操作部材を挿入させて前記押しボタンを押し込むことができる、前記カバー部へ設けられた貫通孔又切欠部であり、
前記工具挿入部は、平面視楕円形等の全体が径外に向け凸形状の輪郭を備え、且つ、前記輪郭の最小径部の径を１０ｍｍ以下とする請求項３記載の遊戯乗物用安全ベルトの接続具。
【請求項５】
前記ベルトは、前記差込部へ差し込むことができる差込金具を先端に備え、前記差込金具は、前記係止部へ係止することができる被係止部を備えたものであり、
前記カバー部は、厚さを１ｍｍ以上とするものであり、
前記ホルダには、１つ又は複数のバネ等の付勢部材が設けられ、
前記係止部は、差し込まれた前記差込金具の被係止部を係止し、前記付勢部材の付勢を受けて前記係止状態を維持するものであり、
前記作動部は係止部を付勢する前記付勢部材にて直接又は間接的に、或いは係止部を付勢する前記付勢部材とは別の付勢部材にて、突出する方向に付勢される押しボタンであり、
前記工具挿入部は、前記操作部材を挿入させて前記押しボタンを押し込むことができる、前記カバー部へ設けられた貫通孔又切欠部であり、
前記工具挿入部は、平面視長四角等の帯状の輪郭を備え、且つ、平面視前記輪郭の長手方向と直交する方向の最大幅部の幅を１０ｍｍ以下とする請求項３記載の遊戯乗物用安全ベルトの接続具。
【請求項６】
前記カバー部は、厚さを５ｍｍ以下とするものであり、
前記工具挿入部は、前記カバー部に設けられた、径を８ｍｍ以下とする平面視円形の貫通孔である請求項４記載の遊戯乗物用安全ベルトの接続具。
【請求項７】
請求項１乃至６の何れかに記載の接続具を備えた遊戯乗物用安全ベルト。
【請求項８】
ジェットコースター等の遊戯乗物に設けられたベルトを接続することにて乗客の身体を拘束する遊戯乗物用安全ベルトの接続具について、当該接続具へ取り付けて使用される誤作動防止部であり、
前記接続具は、前記ベルトの一端を挿入することができる差込部を備えたホルダと、前記ホルダに設けられた係止部と、前記ホルダに設けられて前記係止部を作動させる作動部とを備え、
前記係止部は、前記ホルダ内へ差し込まれた前記ベルトを、前記差込部から抜け出ないよう係止するものであり、前記接続具は、前記作動部の操作により、前記係止部を作動させてベルトの前記係止を解除し前記ベルトを前記差込部から抜き出すことを可能とし、前記ホルダは、作動部を収容する収容部を備え、前記ホルダ外部からの操作を受けて前記作動部が前記作動の動作を行うことができる収容空間を、前記収容部が備えたものであり、
前記誤作動防止部は、前記作動部を前記ホルダの外部から覆い隠すカバー部と、前記ホルダの外部から前記収容部内に通じる１つ又は複数の工具挿入孔部とを備え、
前記カバー部は、ネジ等の取付部材を受けて前記カバー部を前記ホルダへ取り付けることができる受け部を備え、前記カバー部は、前記ホルダへ取り付られることにより前記作動部を覆い隠し乗客の手が前記作動部へ触れることを抑制する、厚さ１ｍｍ以上の板状体であり、
前記工具挿入部は、前記カバー部に設けられた貫通孔又切欠部であり、
前記誤動作防止部は、前記作動部を操作する工具等の操作部材を前記工具挿入部から挿入させて前記作動部を動作させることができ、
前記工具挿入部は、平面視楕円形等の全体が径外に向け凸形状の輪郭を備え、且つ、最小径部の径を１０ｍｍ以下とする遊戯乗物用安全ベルトの接続具に用いられる誤動作防止部。
【考案の詳細な説明】
【技術分野】
【０００１】
本考案は、遊戯乗物用安全ベルトとその接続具並びにその誤作動防止部の改良に関するものである。
【背景技術】
【０００２】
遊園地やテーマパーク、ゲームセンターなどに設置されたジェットコースターその他の遊戯乗物には、稼働する遊戯乗物から乗客が脱落するのを防止するため、乗客を拘束する安全ベルトが備えられる（特許文献１）。
例えば特許文献１に示された回動遊戯機の乗客保持装置は、回動遊戯機の座席の頭部後方部の水平軸を回動軸とし座席手前上側から腰部に向けて上下開閉自在で乗員前部を保持する乗員保持アームの先端にシートベルト先端保持機構を設け、当該シートベルト先端保持機構にて座席の左右下両側からの腰用シートベルトを保持することを特徴とする（請求項１及び図３）。
特許文献１の図３及び３頁左欄４５行目から同欄８行目には、左右の腰用シートベルト２１，２１のタング２２，２２を着脱自在にし、ボタン２３を押すことによって腰用シートベルト２１、２１を取り外すことが可能なバックルロック機構１２を備える点示されている。
【先行技術文献】
【特許文献】
【０００３】
【特許文献１】実用新案登録第２５１１６７６号公報
【考案の概要】
【考案が解決しようとする課題】
【０００４】
上記特許文献１に示された回動遊戯機の乗客保持装置において、乗客が誤ってボタン２３を押すことにより、左右の腰用シートベルト２１，２１の接続が解除される危惧がある。
特にボタン２３は、箱状のバックルロック機構１２の表面から突出しており、乗客が誤ってボタン２３を押す危惧は甚大である。
そこで、本考案の考案者は、特許文献１に示す安全ベルトの接続構造に代わる、より安全なベルトの接続構造を模索した。
上記検討の過程で本考案の考案者は、本願に添付の図３（Ａ）へ示す自動車のシートベルトに着目した。特許文献１のバックルロック機構１２のボタン２３と異なり、このシートベルトは、本願に添付の図３（Ｂ）へ示すようにホルダ３１の表面から突出しないものであり、乗客が誤ってボタンを押す可能性は低いと言える。
【０００５】
しかし、子供が乗客である場合、小さな指先がホルダ３１内に入りボタンを押してしまう危惧がある。
結局このような自動車のシートベルトの構造をそのまま、遊戯乗物用安全ベルトの接続具に採用しても、上記誤作動による事故の危惧を払拭することはできない。
そこで、本考案は、接続具の誤作動の発生自体を抑止できる遊戯乗物用安全ベルトの接続具を提供して上記課題の解決を図る。
【課題を解決するための手段】
【０００６】
本考案は、ジェットコースター等の遊戯乗物に設けられた遊戯乗物用安全ベルトの接続具であって、前記遊戯乗物に設けられたベルトを接続することにて乗客の身体を拘束するものであり、誤作動にて前記接続が解除されることを防止する誤作動防止部を備えた遊戯乗物用安全ベルトの接続具を提供する。
尚、ジェットコースター等の遊戯乗物とは、ジェットコースターを含む他、ウォーターライド、ゴーカート、回動遊戯機、その他の遊戯乗物を含む。
また、本考案は、前記ベルトの一端を挿入することができる差込部を有するホルダと、前記ホルダに設けられた係止部と、前記ホルダに設けられて前記係止部を作動させる作動部とを備え、前記係止部は、前記ホルダ内へ差し込まれた前記ベルトを、前記差込部から抜け出ないよう係止するものであり、前記接続具は、前記作動部の操作により、前記係止部を作動させてベルトの前記係止を解除し前記ベルトを前記差込部から抜き出すことを可能とし、前記ホルダは、前記作動部を収容する収容部を備え、前記ホルダ外部からの操作を受けて前記作動部が前記作動の動作を行うことができる収容空間を、前記収容部が備えたものであり、前記誤作動防止部は、前記作動部を前記ホルダの外部から覆い隠すカバー部と、前記ホルダの外部から前記収容部内に通じる１つ又は複数の工具挿入部とを備え、前記カバー部は、前記作動部を覆い隠すことにて乗客の手が前記作動部へ触れることを抑制するものであり、前記作動部を操作する工具等の操作部材を前記工具挿入部から挿入させて前記作動部を動作させることができる遊戯乗物用安全ベルトの接続具を提供できた。
更に本考案では、前記収容部は、前記ホルダの表面へ開口する開口部を備え、前記作動部は、前記収容部内に収まり前記開口部より突出しないものであり、前記カバー部は、ネジ等の取付部材にて、ホルダの前記表面へ取り付けられることにて前記開口部を覆う板状体であり、前記工具挿入部は、前記カバー部又は前記ホルダに設けられ、前記工具挿入部から前記操作部材を挿入して前記作動部に前記作動の動作を行わせることができ、前記工具挿入部は、指の挿入による前記作動部の前記作動の動作を許容しない大きさを備えた遊戯乗物用安全ベルトの接続具を提供できた。
また更に本考案では、前記ベルトは、前記差込部へ差し込むことができる差込金具を先端に備え、前記差込金具は、前記係止部へ係止することができる被係止部を備えたものであり、前記カバー部は、厚さを１ｍｍ以上とするものであり、前記ホルダには、１つ又は複数のバネ等の付勢部材が設けられ、前記係止部は、差し込まれた前記差込金具の被係止部を係止し、前記付勢部材の付勢を受けて前記係止状態を維持するものであり、前記作動部は係止部を付勢する前記付勢部材にて直接又は間接的に、或いは係止部を付勢する前記付勢部材とは別の付勢部材にて、突出する方向に付勢される押しボタンであり、前記工具挿入部は、前記操作部材を挿入させて前記押しボタンを押し込むことができる、前記カバー部へ設けられた貫通孔又切欠部であり、前記工具挿入部は、平面視楕円形等の全体が径外に向け凸形状の輪郭を備え、且つ、前記輪郭の最小径部の径を１０ｍｍ以下とする遊戯乗物用安全ベルトの接続具を提供できた。
尚、上記の楕円形には真円を含む他、真円以外の楕円形その他の長円を含む。また、楕円形等の全体が径外に向け凸形状の輪郭というのは、楕円形以外に、三角形や四角形、五角形やその他の凸状多角形の輪郭を含む。前記輪郭の最小径部というのは、例えば長軸と短軸とにて規定される一般的な楕円形の場合、短軸の交差する部分である。
更にまた本考案では前記ベルトは、前記差込部へ差し込むことができる差込金具を先端に備え、前記差込金具は、前記係止部へ係止することができる被係止部を備えたものであり、前記カバー部は、厚さを１ｍｍ以上とするものであり、前記ホルダには、１つ又は複数のバネ等の付勢部材が設けられ、前記係止部は、差し込まれた前記差込金具の被係止部を係止し、前記付勢部材の付勢を受けて前記係止状態を維持するものであり、前記作動部は係止部を付勢する前記付勢部材にて直接又は間接的に、或いは係止部を付勢する前記付勢部材とは別の付勢部材にて、突出する方向に付勢される押しボタンであり、前記工具挿入部は、前記操作部材を挿入させて前記押しボタンを押し込むことができる、前記カバー部へ設けられた貫通孔又切欠部であり、前記工具挿入部は、平面視長四角等の帯状の輪郭を備え、且つ、平面視前記輪郭の長手方向と直交する方向の最大幅部の幅を１０ｍｍ以下とする遊戯乗物用安全ベルトの接続具を提供できた。
尚、上記の長四角とは、長方形や台形、平行四辺形その他の矩形を含む。また、長四角等の帯状の輪郭とは、前記四角形はもとより、真円や正多角形とは異なる長手を有する形状であれば前記四角形以外の形状も含む。例えば、半円その他の弧と直線とを複合した扇型、多角形の一部と外側へ凸状の曲線との複合した形状も上記輪郭に含む。そして上記の長手方向と直交する方向の最大幅部の幅を１０ｍｍ以下とするというのは、上記帯状の輪郭の長手方向について当該帯の太さが最も太い位置の当該太さを１０ｍｍ以下とするということである。
また本考案では、前記カバー部は、厚さを５ｍｍ以下とするものであり、前記工具挿入部は、前記カバー部に設けられた、径を８ｍｍ以下とする平面視円形の貫通孔である遊戯乗物用安全ベルトの接続具を提供できた。
更に本考案は、上記何れかの接続具を備えた遊戯乗物用安全ベルトを提供できた。
また更に本考案では、ジェットコースター等の遊戯乗物に設けられたベルトを接続することにて乗客の身体を拘束する遊戯乗物用安全ベルトの接続具について、当該接続具へ取り付けて使用される誤作動防止部であり、前記接続具は、前記ベルトの一端を挿入することができる差込部を備えたホルダと、前記ホルダに設けられた係止部と、前記ホルダに設けられて前記係止部を作動させる作動部とを備え、前記係止部は、前記ホルダ内へ差し込まれた前記ベルトを、前記差込部から抜け出ないよう係止するものであり、前記接続具は、前記作動部の操作により、前記係止部を作動させてベルトの前記係止を解除し前記ベルトを前記差込部から抜き出すことを可能とし、前記ホルダは、作動部を収容する収容部を備え、前記ホルダ外部からの操作を受けて前記作動部が前記作動の動作を行うことができる収容空間を、前記収容部が備えたものであり、前記誤作動防止部は、前記作動部を前記ホルダの外部から覆い隠すカバー部と、前記ホルダの外部から前記収容部内に通じる１つ又は複数の工具挿入孔部とを備え、前記カバー部は、ネジ等の取付部材を受けて前記カバー部を前記ホルダへ取り付けることができる受け部を備え、前記カバー部は、前記ホルダへ取り付られることにより前記作動部を覆い隠し乗客の手が前記作動部へ触れることを抑制する、厚さ１ｍｍ以上の板状体であり、前記工具挿入部は、前記カバー部に設けられた貫通孔又切欠部であり、前記誤動作防止部は、前記作動部を操作する工具等の操作部材を前記工具挿入部から挿入させて前記作動部を動作させることができ、前記工具挿入部は、平面視楕円形等の全体が径外に向け凸形状の輪郭を備え、且つ、最小径部の径を１０ｍｍ以下とする遊戯乗物用安全ベルトの接続具に用いられる誤動作防止部を提供できた。
【考案の効果】
【０００７】
本考案は、上記の誤作動防止部を備えることにより、接続具の誤作動の発生自体を抑止できる遊戯乗物用安全ベルトの接続具を提供できた。
特に、上記の誤作動防止部は、カバー部により接続具の接続を解除する、上記作動部へ手が触れることによる誤作動を抑制すると共に、工具挿入部から工具など操作部材を挿入させて当該接続を解除することを可能とする。即ち、上記の誤作動防止部は、操作部材によらなければ解除できず、乗客の手が誤って接続具に触れて上記作動部を作動させるという事態を回避できるものとした。
また、本考案では、既存の自動車のシートベルトを利用して上記の誤作動防止部を備えた遊戯乗物用安全ベルトの接続具を提供することができる。
【図面の簡単な説明】
【０００８】
【図１】（Ａ）は本考案の一実施の形態に係る全体平面図、（Ｂ）は（Ａ）の側面図。
【図２】（Ａ）は図１へ示す遊戯乗物用安全ベルトの接続具に取り付けられる誤作動防止部についての一実施の形態を示す拡大平面図、（Ｂ）は（Ａ）のＸ−Ｘ断面図、（Ｃ）は（Ａ）のＹ−Ｙ断面図。
【図３】（Ａ）は図１へ示す本考案の遊戯乗物用安全ベルトとして利用可能なシートベルトの全体平面図、（Ｂ）は（Ａ）の側面図、（Ｃ）は図１へ示す工具挿入部へ挿入して作動部を作動させる操作部材の一例を示す正面図、（Ｄ）は（Ｃ）へ示す操作部材の平面図。
【図４】（Ａ）は図１へ示す本考案の遊戯乗物用安全ベルトの接続具の分解斜視図、（Ｂ）は（Ａ）の接続具の組み立て後の縦断面図、（Ｃ）は（Ｂ）の接続具へベルトを接続した状態を示す縦断面図、（Ｄ）は（Ｃ）の接続具の作動部を作動させてベルトの接続を解除する状態を示す縦断面図。
【図５】（Ａ）は本考案の誤作動防止部の他の実施の形態を示す平面図、（Ｂ）は本考案の誤作動防止部のまた他の実施の形態を示す平面図、（Ｃ）は本考案の誤作動防止部の更に他の実施の形態を示す平面図、（Ｄ）は本考案の誤作動防止部のまた更に他の実施の形態を示す平面図、（Ｅ）は本考案の誤作動防止部の更にまた他の実施の形態を示す平面図、（Ｆ）は本考案の誤作動防止部のまた他の実施の形態を示す平面図。
【考案を実施するための形態】
【０００９】
以下、図面に基づき本願考案の実施の形態を説明する。
（遊戯乗物用安全ベルトの全体構成）
この遊戯乗物用安全ベルトは、ジェットコースター等の遊戯乗物に設けられるものである。
図１（Ａ）（Ｂ）へ示す通り、この遊戯乗物用安全ベルトは、主ベルト１と副ベルト２の少なくとも２本のベルトと、接続具３と、差込金具４と、誤作動防止部７とを備える。接続具３は主ベルト１へ設けられ、差込金具４は副ベルト２へ設けられる。誤作動防止部７は接続具３へ設けられる。
特にこの実施の形態では、既存の自動車のシートベルトに対し、或いは当該自動車のシートベルトとほぼ同じ構成の既存の遊戯乗物用安全ベルトに対し、誤作動防止部７を付加する例を示す。
以下、各部の構成について具体的に説明する。
【００１０】
（主ベルト１及び副ベルト２）
主ベルト１の基端側は遊戯乗物へ固定され、主ベルト１の先端側へ上記接続具３が固定される。主ベルト１の基端側は例えば遊戯乗物の座席に固定することができる。
上記副ベルト２の基端側は遊戯乗物へ固定され、上記副ベルト２の先端側へ前記差込金具５が固定される。主ベルト２の基端側も遊戯乗物の座席に固定することができる。
図１（Ａ）（Ｂ）において、５は主ベルト１の基端側を遊戯乗物へ固定する固定金具を示し、６は副ベルト２の基端側を遊戯乗物へ固定する固定金具を示す。
【００１１】
（接続具３）
上記の接続具３は、上記主ベルト１へ副ベルト２を接続するものであり、両ベルトを接続することにて乗客の身体を拘束する。
上記実施の形態では、接続具３は、主ベルト１と副ベルト２とを接続することにより乗客の胴回りを拘束する。この他、接続具３は、主ベルト１と副ベルト２とを接続することにより、左右の一方の肩から左右の他の一方の腰に掛けて拘束するものとしても、左右一対の遊遊戯乗物用安全ベルトにて左右の肩夫々を拘束するものとしても実施できる。
詳しくは、図４（Ａ）（Ｂ）へ示す通り、接続具３は、ホルダ３１と係止部３４と作動部３５と付勢部材３６とを備える。更にこの例では、接続具３は、スライド部３７と副付勢部材３８とを備える。
図４（Ａ）（Ｂ）へ示す通り、係止部３４と作動部３５と付勢部材３６とスライド部３７と副付勢部材３８とは、夫々ホルダ３１と別体に形成された部材でありホルダ３１内へ収容される。
【００１２】
ホルダ３１は、中空のケースである。ホルダ３１内部が上記作動部３５を収容する収容部３３を備える。収容部３３は作動部３５の作動を可能とする作動空間３３ａを有する。この例では、作動部３５はほぼ上下に作動するので、作動空間３３ａは、当該作動を可能とする上下幅を備えた空間である。作動空間３３ａの上方はホルダ３１外部へ開放される。即ち、ホルダ３１の上面には、収容部３３の上端を開放する開口部３３ｂが設けられている。
また、ホルダ３１の先端側（図４（Ｂ）の左側）には、副ベルト２の上記差込金具４をホルダ３１内へ差し込むことができる差込部３２を備える。差込部３２は、ホルダ３１の上記先端側に設けられた開口であり、ホルダ３１の内部へ通じる。
【００１３】
この例では、ホルダ３１の分解斜視である図４（Ａ）へ示す通り、ホルダ３１は、上ケース部３１ａと、下ケース部３１ｂと、下内ケース部３１ｃとにて構成される。上ケース部３１ａは主としてホルダ３１の上部を形成するものであり、下ケース部３１ｂは主としてホルダ３１の下部を形成する。上ケース部３１ａを下ケース部３１ｂの上へ取り付けることにてホルダ３１を中空のケースとして形成することができる。この例は、下ケース部３１ｂへ上ケース部３１ａを取り付ける前に、図４（Ａ）へ示す通り、下内ケース部３１ｃを下ケース３１ｂの上に重ねて配置しておくものである。
上記開口部３３ｂは上ケース部３１ａへ設けられている。また、ホルダ３１の組み立て時、上ケース部３１ａと下ケース部３１ｂ夫々の上記先端面側に設けられた切り欠きを合わせることにより、上記差込部３２が形成される。但し、差込部３２は、切り欠きを合わせて初めて形成されるものとするのではなく、下ケース部３１ｂ又は上ケース部３１ａへ当初より形成しておくものとしても実施できる。
図１及び図４（Ｂ）の３９は、主ベルト１の先端側をホルダ３１へ固定する固定部を示している。固定部３７は主ベルト１を通すことができる挿通孔である。主ベルト１の先端側を、固定部７へ通し主ベルト１の固定部７へ通されていない部分へ縫い付い合わせることによって、主ベルト１をホルダ３１へ固定することができる。
【００１４】
図４（Ｂ）へ示す通り、ホルダ３１の組み立て時、スライド部３７は、副付勢部材３８と共にホルダ３１の下内ケース３１ｃへ設けられたホルダ３１の前後に伸びる切れ込みへ収容され、ホルダ３１の前後にスライド可能とされる。副付勢部材３８は、スライド部３７をホルダ３１にて上記差込部３３へ向け付勢するバネである。但し副付勢部材３８は、弾力性を有するものであれば上記バネに限定するものではなく、周知の他の付勢手段を採用することができる。例えばエアシリンダを用い気体圧でスライド部３７を付勢するものとしても実施でき、或いはクッション性を有する発泡材などを採用して実施してもよい。但し構成の簡素化の観点からバネを副付勢部材３８に採用するのが適する。
スライド部３７は、副付勢部材３８の付勢により、差込部３３から差し込まれる副ベルト２の上記差込金具４を押し返す。従ってこの接続部３にあって、上記ホルダ３１への副ベルト２の接続時、当該スライド部３７の押し返しに抗して副ベルト２の差込金具４を差込部３２内へ差し込むことになる。
【００１５】
図４（Ａ）（Ｂ）へ示すように、上記係止部３４は、ホルダ３１内にて、上記差込部３２の上方に配置される。係止部３４は、係止部３４の前端側３４ａと後端側３４ｂとの間へ支点３４ｃを備え、当該支点３４ｃを中心として、前端側３４ａと後端側３４ｂの夫々を上下へ互い違いに揺動することができる。この例では、ホルダ３１の側面視において、前端側３４ａと後端側３４ｂとは互いに上記支点３４ｃにて一体に接続された２つの板状部分である。詳しくは前端側３４ａと後端側３４ｂとは、上方へ谷をなし下方へ山をなす略くの字状を呈するように上記支点３４ｃにおいて互いに接続された１枚の板片である。当該山の頂点が上記支点３４ｃである。
ホルダ３１内において、係止部３７は、前端側３４ａを差込部３２側へ向け且つ後端側３４ｂを差込部３２の差し込み方向の奥側へ向けて配置される。
【００１６】
作動部３５は、この例では上面を押圧面３５ｃとする押しボタンである。図４（Ａ）へ示す通り作動部３５は、当該押圧面３５ｃの下方からホルダ３１の前方側へ伸びる延設部３５ｄを備え、当該延設部３５ｄの先端には左右側方へ伸びる軸部３５ａが設けられている。また作動部３５の上記延設部３５ｄの下面から下方へ突出する突起部３５ｂが設けられている。
図４（Ｂ）へ示す通り作動部３５は、ホルダ３１内において上記係止部３４の上方に配置され、軸部３５ａにてホルダ３１へ回動可能に軸止されている。
上記の付勢部材３６は、作動部３５の上記押圧面の反対側の面（下面）と係止部３４の後端側３４ｂ上面との間に介され、作動部３５を上方へ付勢すると共に係止部３４の後端側３４ｂを下方へ付勢する。
図４（Ａ）へ示す通り、この例では、付勢部材３６は、一般にトーションバースプリングと呼ばれるねじり棒ばね部を２か所に備える一本の線材で形成されたバネである。但し、付勢部材３６は２つ以上備えるものとし、作動部３５の付勢と係止部３４の付勢とは夫々別々の付勢部材３６にて行うようにしても実施できる。但し付勢部材３６は、弾力性を有するものであれば上記バネに限定するものではなく、周知の他の付勢手段を採用することができる。例えばエアシリンダを用い気体圧で作動部３５や係止部３４の後端側３４ｂを付勢するものとしても実施でき、或いはクッション性を有する発泡材などを採用して実施してもよい。但し構成の簡素化の観点から上記バネを付勢部材３６に採用するのが適する。
【００１７】
（差込金具４）
図４（Ａ）（Ｂ）へ示す通り、差込金具４は、接続具３のホルダ３１の上記差込部３２へ差し込まれる金属製の板であり、上記係止部３４へ係止される被係止部４１を備える。この例では、被係止部４１は差込金具４の表裏に貫通する貫通穴である。
【００１８】
（誤作動防止部７）
誤作動防止部７は、誤作動にて前記接続が解除されることを防止する。図１、図２及び図４の各図へ示す通り、誤作動防止部７は、この例では、上記ホルダ３１と別体に形成されて、ホルダ３１上面へ取り付けられる部材である。
誤作動防止部７は、誤作動防止部７の主要部であるカバー部７１と、カバー部７１へ設けられた工具挿入部７２と、カバー部７１へ設けられた受け部７３とを備える。
カバー部７１は、図１（Ａ）（Ｂ）へ示す通り、ホルダ３１の前記開口部３３ｂを閉鎖してホルダ３１の外部に対して収容部３３内の作動部３５の上記押圧面３５ｃを覆い隠す板状体である。カバー部７１は金属製又は樹脂製の板状体として形成することができる。
【００１９】
この例では、カバー部７１は矩形の板状体である。より具体的には、カバー部７１はこの例では縦２８ｍｍ横３９ｍｍ厚み１〜２ｍｍの略長方形の金属製の板である。但しカバー部７１の上記寸法数値は例示であり、ホルダ３１各部の寸法や形状に応じて適宜変更して実施すればよい。一般的な自動車のシートベルトのホルダ３１を考慮すると、カバー部７１は縦横夫々４ｃｍを超えないものとし厚みを１ｍｍ以上５ｍｍ以下とするのが好ましいが、誤って作動部３５を押さないよう開口部３３ｂを適切に覆い隠すことができればこのような数値範囲を外れるものとしても実施できる。
また、上記開口部３３ｂや作動部３５の押圧面の形状や寸法に応じて、カバー部７１は矩形以外の形状を備えるものとして実施可能である。
【００２０】
工具挿入部７２は、板状体であるカバー部７１の表裏（上下）に貫通する貫通孔である。カバー部７１に覆い隠された作動部３５の上記押圧面３５ｃは、当該工具挿入部７２を通じて、ホルダ３１外部へその一部を覗かせる。即ちカバー部７１は、開口部３３ｂを狭めて作動部３５の上記押圧面３５ｃの露出範囲を制限するものである。
工具挿入部７２は、収容部３３に収容された作動部３５の押圧面３５ｃへ直接子供の指が触れない大きさにしておくのが好ましい。但し、作動部３５の誤作動を生じさせない範囲即ち指で押圧面３５ｃへ触れることができても押し込むことができない範囲であれば、工具挿入部７２は子供の指が触れることができる大きさであってもよい。
作動部３５の押圧面３５ｃの平面視における中心部分と対応するように工具挿入部７２を設ける。但し、後述する操作部材９にて作動部３５を押し込むことができる位置であれば、工具挿入部７２の位置は、当該中心部分と対応する位置に限定するものではない。
図２（Ａ）へ示す例では、工具挿入部７２は、平面視真円の輪郭を備える。工具挿入部７２の径ｒは、１０ｍｍ以下、特に８ｍｍ以下とするのが好ましい。図２へ示す例では、工具挿入部７２の径ｒは８ｍｍである。
工具挿入部７２は、当該長方形の両対角線（図示しない。）の交差点へ呈する円の中心が位置するように配置された貫通孔である。即ちカバー部７１を上記の縦２８ｍｍ横３９ｍｍの長方形とする上記例では、工具挿入部７２の中心はカバー部短辺からの距離ａを１９．５ｍｍとし長辺からの距離ｂを１４ｍｍとする。
また、当該長方形の四隅には、ネジ或いはボルト、ピンといった周知の取付部材８を受ける受け部７３が設けられている。受け部７３は、カバー部７１の表裏に貫通する貫通孔である。この例では、受け部７３は２．５ｍｍの円形の貫通孔である。受け部７３の寸法やその数や配置は、図２へ示すものに限定するものではなく、必要に応じて変更可能である。
但し、カバー部７１のホルダ３１への取り付けは、接着剤や周知の他の固定手段によるものとしてもよい。
【００２１】
（使用例）
副ベルト２の主ベルト１への接続は、主ベルト１が固定された上記接続具３のホルダ３１の差込部３２へ、副ベルト２の差込金具４を差し込み被係止部４１へ係止部３４を係止することにより行うことができる。
上記接続前、図４（Ｂ）へ示すように、付勢部材３６の付勢を受けて作動部３５の押圧面３５ｃは収容部３３の収容空間３３ａ内において開口部３３ｂ寄りに位置し、係止部３４の後端側３４ｂは下ケース部３１ｂ（下内ケース部３１ｃ）側へ位置する。このとき作動部３５が上ケース部３１ａの内側面へ当接することにより軸部３５ａを中心とする回転が制限され、作動部３５の押圧面３５ｃの上方への移動が規制される。この規制によって、作動部３５の押圧面３５ｃ側は開口部３３ｂよりホルダ３１外部へ突出することはない。一方、付勢部材３６の付勢を受けた係止部３４の後端側３４ｂについては、下内ケース部３１ｃへ当接し、支点３４ｃを中心とする揺動による下方への移動が規制される。
【００２２】
接続具３へ副ベルト２を接続する際、副ベルト２の差込金具４をホルダ３１の差込部３２へ差し込む。このとき、差込金具４の先端が、下内ケース部３１ｃと係止部３４の後端側３４ｂとの間へ割り込み、付勢部材３６の付勢に抗し支点３４ｃを中心として係止部３４を揺動させ後端側３４ｂを上方へ変位させる。またこのとき、差込金具４の先端が、副付勢部材３８の付勢に抗してスライド部３７を差し込み方向へ押して後退させる。
差込金具４の差込部３２内への差し込みが更に進行すると、図４（Ｃ）へ示す通り、差込金具４の被係止部４１が係止部３４の後端側３４ｂへ到達し、係止部３４の後端側３４ｂが下方へ揺動できるようになり、付勢部材３６の付勢を受けて係止部３４の後端側３４ｂの端部が、貫通穴である被係止部４１へ入る。即ち、被係止部４１は係止部３４へ係止され、差し込まれた差込金具３２は差込部３２から後戻りできなくなり、主ベルト１の接続具３への副ベルト２の接続状態が維持される。
誤作動防止部７のカバー部７１は、作動部３５の押圧面３５ｃを覆うことにて、上記接続状態で押圧面３５ｃが誤って押されることを回避し、作動部３５を誤作動させないのである。
【００２３】
上記接続を解除するとき、図３（Ｃ）（Ｄ）へ示す横断面が円形の棒状体である操作部材９を図４（Ｄ）へ示す通り、工具挿入部７２からホルダ３１の収容部３３内へ挿入して作動部３５の押圧面３５ｃを押圧する。押圧を受けた作動部３５は、付勢部材３６の付勢に抗して軸部３５ａを中心に回転し押圧面３５ｃを下方へ移動させる。作動部３５の当該回転により、延設部３５ｄの前記突起部３５ｂが、係止部３４の前端側３４ａ上面を押して支点３４ｃを中心に係止部３４を揺動させ係止部３４の後端側３４ｂを上方へ移動させる。上方への当該移動によって係止部３４の後端側３４ｂは、図４（Ｄ）へ示ように被係止部４１から上方へ抜け出て、被係止部４１の係止部３４への係止は解除される。被係止部４１が外れて後退可能となった差込金具４は、スライド部３７へ押し戻されて差込部３２から抜け出し、副ベルト２の主ベルト１への接続は解除される。
【００２４】
（変更例）
工具挿入部７２の輪郭形状については、図２（Ａ）へ示す真円以外の楕円形や凸多角形といった全体が径外に向け凸形状の輪郭を有するものとしても実施できる。工具挿入部７２の輪郭を当該凸形状とする場合、輪郭の最小径部ｒ１の径を１０ｍｍ以下とするのが好ましく、子供の指の大きさを考慮して特に８ｍｍ以下とするのが好ましい。
但し、カバー部７１の厚みを大きくしたり、カバー部７１と作動部３５の押圧面３５ｃとの間の間隔を十分大きなものとすることによって、上記最小部の径を上記数値よりも大きいものとして実施することができる。
工具挿入部７２の輪郭は、図５（Ａ）へ実線で示す楕円形とすることができる。図５（Ａ）へ実線で示す楕円形は、長軸（図示しない。）を長方形のカバー部７１の長辺とほぼ平行とするものであるが、この他、図５（Ａ）で一点鎖線で示すよう上記長軸をカバー部７１の短辺とほぼ平行とするものであってもよいし、カバー部７１の何れの辺とも平行でないものとしも実施できる。図５（Ａ）へ示す例では、上記最小径部というのは楕円形の短軸（図示しない。）の通る部位である。また図５（Ｃ）は上記凸多角形の例として工具挿入部７２の輪郭形状を正方形としたものを示す。
【００２５】
一方、工具挿入部７２の輪郭形状については、長四角を含めて帯状のものとすることができる。工具挿入部７２の輪郭を帯状とする場合、当該輪郭の長手方向と直交する方向の最大幅部の幅即ち帯の最も太い部分の太さを１０ｍｍ以下とするのが好ましく、子供の指の大きさを考慮して特に８ｍｍ以下とするのが好ましい。
例えば、図５（Ｂ）へ示す通り、工具挿入部７２の輪郭を一定幅の帯状とした場合、長手方向と直交する方向についての上記最大幅部は上記最小径部ｒ１と一致する。従って図５（Ｂ）へ示す変更例において上記最大幅部の最大幅を１０ｍｍ以下とすることが望ましいというのは、最小径部の最小径ｒ１を１０ｍｍ以下とするのが望ましいということである。
【００２６】
図５（Ｄ）へ示す通り、誤作動防止部７は、工具挿入部７２を２つ以上備えるものとしても実施できる。誤作動防止部７は、工具挿入部７２を２つ以上備える場合、各工具挿入部７２は図５（Ｄ）へ示すように独立したものとしてもよいが、図５（Ｅ）へ示す通り、工具挿入部７２同士は繋がったものとしても実施できる。この図５（Ｅ）は工具挿入部７の輪郭を帯状とする場合の変形例と見ることもできる。
また、図５（Ｆ）へ実線で示す通り、工具挿入部７を貫通孔とするのではなく、カバー部７１へ設けた切欠部として形成することも可能である。
更に図５（Ｆ）へ実線及び点線で示すように、カバー部７１は２枚以上に分離した板状体とし、両板状体の間へ隙間を設けて当該隙間を工具挿入部７として実施することもできる。
【００２７】
上記において押しボタンである作動部３５の押圧面３５ｃ即ち作動部３５の頭部上面は、開口部３３ｂとほぼ同じ大きさとした。この他、当該押圧面は、開口部３３ｂより収容部３３の下方へ止まるものであれば、開口部３３ｂより小さいものとしても実施できる。
更に上記実施の形態において、工具挿入部７２は作動部３５の頭部上面よりも小さいものとした。この他、作動部３５が開口部３３ｂからホルダ３１外部へ突出しないものであれば、工具挿入部７２は作動部３５の頭部上面よりも大きいものとして実施できる。
【００２８】
工具挿入部７２の平視における輪郭は、操作部材９である工具の断面形状と略相似形とするのが好ましい。尚ここでいう操作部材９の断面形状とは、棒状の操作部材９の長手方向と直交する方向の面で切った横断面形状をいう。
図１〜図４へ示す実施の形態では、図３（Ｄ）へ示す通り操作部材９は、断面円形の棒材であるのに対応して、工具挿入部７２も円形の輪郭を備えるものとしている。このように工具挿入部７２を操作部材９の断面形状と略相似形とすることによって、工具挿入部７２をより小さく形成することができ、カバー部７１による指の侵入の防止に効果的である。例えば操作部材９を十字型の断面を備えるものとすることもでき、この場合、工具挿入部９の輪郭を十字型とすれば、工具挿入部７２の開口面積をより小さくできる。操作部材９の断面形状が三角形の場合工具挿入部７２の形状を三角形とし、操作部材９の断面形状が四角形の場合工具挿入部７２の形状を四角形とすればよい。操作部材９の断面形状が、五角形以上の他の多角形でも、真円以外の楕円形であっても、或いは更に他の形状であっても、工具挿入部７２の形状を操作部材９の断面形状と略相似形とするのが好ましい。
但し、工具挿入部７２の輪郭は、操作部材９の断面形状と略相似形にするのに限定するものではない。例えば、操作部材９の断面形状が三角形や四角形その他の多角形或いは上記の十字型であっても、工具挿入部７２の輪郭を円形として実施することができるし、操作部材９の断面形状が円形の場合に工具挿入部７２の輪郭を三角形や四角形その他の多角形或いは上記の十字型として実施することができる。
また操作部材９は、専用の部材として用意してもよいが、ドライバその他の既存の、棒状部分を備えた工具を用いるものとしても実施できる。
【００２９】
上記実施の形態において、誤作動防止部７は、ホルダ３１と別体に形成されたカバー部７１をホルダ３１へ取り付けるものとした。この他カバー部７１を当初よりホルダ３１の一部としてホルダ３１と一体に形成するものとしても実施できる。
ホルダ３１は２つ以上の差込部３２を備え、接続具３は２本以上の副ベルト２を主ベルト１へ接続するものとしても実施できる。この他接続具３は主ベルト１ではなく、遊戯用乗物の座席やボディへ直接設けられるものとしても実施できる。
接続具３については、図４へ示すものは単なる例示であり、接続具３と副ベルト２との接続解除を行う作動部３５を備えるものであれば、周知の他の形式のものを採用して実施することができる。
誤作動防止部７のカバー部７１は扁平な板状体とする他、上方へ隆起する部分を備え、当該隆起する部分の内側空間に作動部３５の押圧面３５ｃを対面させるものとしても実施できる（図示しない）。この場合、作動部３５の押圧面３５ｃは、ホルダ３１表面より突出するものであっても上記内側空間へ内包する状態に覆い隠しておくことができる。そして上記隆起する部分を貫通する貫通孔として、工具挿入部７２を形成すればよい。
【符号の説明】
【００３０】
１    主ベルト
２    副ベルト
３    接続具
４    差込金具
５  （主ベルト１の）固定金具
６  （副ベルト２の）固定金具
７    誤作動防止部
８    取付部材
９    操作部材
３１  （接続部３の）ホルダ
３１ａ（ホルダ３１の）上ケース部
３１ｂ（ホルダ３１の）下ケース部
３１ｃ（ホルダ３１の）下内ケース部
３２  （ホルダ３１の）差込部
３３  （ホルダ３１の）収容部
３３ａ（収容部３３の）収容空間
３３ｂ（収容部３３の）開口部
３４    係止部
３４ａ（係止部３３の）前端側
３４ｂ（係止部３３の）後端側
３４ｃ（係止部３３の）支点
３５    作動部
３５ａ（作動部３５の）軸部
３５ｂ（作動部３５の）突起部
３５ｃ（作動部３５の）押圧面
３５ｄ（作動部３５の）延設部
３６    付勢部材
３７    スライド部
３８    副付勢部材
４１    被係止部
７１  （誤作動防止部７の）カバー部
７２  工具挿入部
７３  受け部
【図１】
0003204602.tif 000003
【図２】
0003204602.tif 000004
【図３】
0003204602.tif 000005
【図４】
0003204602.tif 000006
【図５】
0003204602.tif 000007
【手続補正書】
【提出日】平成28年3月25日(2016.3.25)
【手続補正１】
【補正対象書類名】実用新案登録請求の範囲
【補正対象項目名】全文
【補正方法】変更
【補正の内容】
【実用新案登録請求の範囲】
【請求項１】
ジェットコースター等の遊戯乗物に設けられた遊戯乗物用安全ベルトの接続具であって、前記遊戯乗物に設けられたベルトを接続することにて乗客の身体を拘束するものであり、
誤作動にて前記接続が解除されることを防止する誤作動防止部を備えた遊戯乗物用安全ベルトの接続具。
【請求項２】
前記ベルトの一端を挿入することができる差込部を有するホルダと、前記ホルダに設けられた係止部と、前記ホルダに設けられて前記係止部を作動させる作動部とを備え、
前記係止部は、前記ホルダ内へ差し込まれた前記ベルトを、前記差込部から抜け出ないよう係止するものであり、
前記接続具は、前記作動部の操作により、前記係止部を作動させてベルトの前記係止を解除し前記ベルトを前記差込部から抜き出すことを可能とし、
前記ホルダは、前記作動部を収容する収容部を備え、前記ホルダ外部からの操作を受けて前記作動部が前記作動の動作を行うことができる収容空間を、前記収容部が備えたものであり、
前記誤作動防止部は、前記作動部を前記ホルダの外部から覆い隠すカバー部と、前記ホルダの外部から前記収容部内に通じる１つ又は複数の工具挿入部とを備え、
前記カバー部は、前記作動部を覆い隠すことにて乗客の手が前記作動部へ触れることを抑制するものであり、
前記作動部を操作する工具等の操作部材を前記工具挿入部から挿入させて前記作動部を動作させることができる請求項１記載の遊戯乗物用安全ベルトの接続具。
【請求項３】
前記収容部は、前記ホルダの表面へ開口する開口部を備え、
前記作動部は、前記収容部内に収まり前記開口部より突出しないものであり、
前記カバー部は、ネジ等の取付部材にて、ホルダの前記表面へ取り付けられることにて前記開口部を覆う板状体であり、
前記工具挿入部は、前記カバー部又は前記ホルダに設けられ、
前記工具挿入部から前記操作部材を挿入して前記作動部に前記作動の動作を行わせることができ、前記工具挿入部は、指の挿入による前記作動部の前記作動の動作を許容しない大きさを備えた請求項２記載の遊戯乗物用安全ベルトの接続具。
【請求項４】
前記ベルトは、前記差込部へ差し込むことができる差込金具を先端に備え、前記差込金具は、前記係止部へ係止することができる被係止部を備えたものであり、
前記カバー部は、厚さを１ｍｍ以上とするものであり、
前記ホルダには、１つ又は複数のバネ等の付勢部材が設けられ、
前記係止部は、差し込まれた前記差込金具の被係止部を係止し、前記付勢部材の付勢を受けて前記係止状態を維持するものであり、
前記作動部は係止部を付勢する前記付勢部材にて直接又は間接的に、或いは係止部を付勢する前記付勢部材とは別の付勢部材にて、突出する方向に付勢される押しボタンであり、
前記工具挿入部は、前記操作部材を挿入させて前記押しボタンを押し込むことができる、前記カバー部へ設けられた貫通孔又切欠部であり、
前記工具挿入部は、平面視楕円形等の全体が径外に向け凸形状の輪郭を備え、且つ、前記輪郭の最小径部の径を１０ｍｍ以下とする請求項３記載の遊戯乗物用安全ベルトの接続具。
【請求項５】
前記ベルトは、前記差込部へ差し込むことができる差込金具を先端に備え、前記差込金具は、前記係止部へ係止することができる被係止部を備えたものであり、
前記カバー部は、厚さを１ｍｍ以上とするものであり、
前記ホルダには、１つ又は複数のバネ等の付勢部材が設けられ、
前記係止部は、差し込まれた前記差込金具の被係止部を係止し、前記付勢部材の付勢を受けて前記係止状態を維持するものであり、
前記作動部は係止部を付勢する前記付勢部材にて直接又は間接的に、或いは係止部を付勢する前記付勢部材とは別の付勢部材にて、突出する方向に付勢される押しボタンであり、
前記工具挿入部は、前記操作部材を挿入させて前記押しボタンを押し込むことができる、前記カバー部へ設けられた貫通孔又切欠部であり、
前記工具挿入部は、平面視長四角等の帯状の輪郭を備え、且つ、平面視前記輪郭の長手方向と直交する方向の最大幅部の幅を１０ｍｍ以下とする請求項３記載の遊戯乗物用安全ベルトの接続具。
【請求項６】
前記カバー部は、厚さを５ｍｍ以下とするものであり、
前記工具挿入部は、前記カバー部に設けられた、径を８ｍｍ以下とする平面視円形の貫通孔である請求項４記載の遊戯乗物用安全ベルトの接続具。
【請求項７】
請求項１乃至６の何れかに記載の接続具を備えた遊戯乗物用安全ベルト。
【請求項８】
ジェットコースター等の遊戯乗物に設けられたベルトを接続することにて乗客の身体を拘束する遊戯乗物用安全ベルトの接続具について、当該接続具へ取り付けて使用される誤作動防止部であり、
前記接続具は、前記ベルトの一端を挿入することができる差込部を備えたホルダと、前記ホルダに設けられた係止部と、前記ホルダに設けられて前記係止部を作動させる作動部とを備え、
前記係止部は、前記ホルダ内へ差し込まれた前記ベルトを、前記差込部から抜け出ないよう係止するものであり、前記接続具は、前記作動部の操作により、前記係止部を作動させてベルトの前記係止を解除し前記ベルトを前記差込部から抜き出すことを可能とし、前記ホルダは、作動部を収容する収容部を備え、前記ホルダ外部からの操作を受けて前記作動部が前記作動の動作を行うことができる収容空間を、前記収容部が備えたものであり、
前記誤作動防止部は、前記作動部を前記ホルダの外部から覆い隠すカバー部と、前記ホルダの外部から前記収容部内に通じる１つ又は複数の工具挿入部とを備え、
前記カバー部は、ネジ等の取付部材を受けて前記カバー部を前記ホルダへ取り付けることができる受け部を備え、前記カバー部は、前記ホルダへ取り付られることにより前記作動部を覆い隠し乗客の手が前記作動部へ触れることを抑制する、厚さ１ｍｍ以上の板状体であり、
前記工具挿入部は、前記カバー部に設けられた貫通孔又切欠部であり、
前記誤動作防止部は、前記作動部を操作する工具等の操作部材を前記工具挿入部から挿入させて前記作動部を動作させることができ、
前記工具挿入部は、平面視楕円形等の全体が径外に向け凸形状の輪郭を備え、且つ、最小径部の径を１０ｍｍ以下とする遊戯乗物用安全ベルトの接続具に用いられる誤動作防止部。